(57)【要約】【課題】より高画質な合成画像プリントを得ることができる電子カメラを提供する。【解決手段】デジタルスチルカメラ１００が、ユーザーにより選択されたフレーム画像Ｆ３にマッチするように、撮像条件を変更して撮像を行うので、より高画質な合成画像を得ることができる。【選択図】    図３
2004248136.tif 000002
【特許請求の範囲】
【請求項１】
光学像を画像情報に変換して取得する撮像部と、
プリント時のフレーム画像に関する情報を記憶する記憶部と、
前記記憶部に記憶された前記フレーム画像に関する情報に基づいて、前記撮像部における撮像条件を変更する撮像条件変更手段とを有することを特徴とする電子カメラ。
【請求項２】
前記撮像条件の変更とは、測光条件設定変更、測光エリアの設定変更、露出補正量設定変更、カメラ感度設定変更、露出条件設定変更、閃光発光の有無変更、測距エリアの設定変更、合焦検出周波数の設定変更、手振れ補正の有無変更、シーンモード設定変更、画角設定変更、画像の倍率設定変更の少なくとも一つを含むことを特徴とする請求項１に記載の電子カメラ。
【請求項３】
前記記憶部は、前記フレーム画像に関する情報を複数記憶しており、撮像前に前記複数のフレーム画像に関する情報を選択する選択手段を有することを特徴とする請求項１又は２に記載の電子カメラ。
【請求項４】
前記記憶部は、選択された前記フレーム画像に関する情報と、前記撮像部により取得された画像情報とを対応づけて記憶することを特徴とする請求項３に記載の電子カメラ。
【請求項５】
前記フレーム画像に関する情報を表示する表示手段を有することを特徴とする請求項１乃至４のいずれかに記載の電子カメラ。
【請求項６】
光学像を画像情報に変換して取得する撮像部と、
プリント時のフレーム画像に関する情報を記憶する記憶部と、
画像情報を画像処理する画像処理手段と、
前記記憶部に記憶された前記フレーム画像に関する情報に基づいて、前記撮像部により取得された画像情報の処理条件を変更する処理条件変更手段とを有することを特徴とする電子カメラ。
【請求項７】
前記処理条件の変更とは、露出補正量設定変更、ポスト測光エリアの設定変更、ポストオートホワイトバランスエリアの設定変更、ポスト測色エリアの設定変更、階調補正処理条件の設定変更、エッジ強調処理条件の設定変更、圧縮率の設定変更の少なくとも一つを含むことを特徴とする請求項６に記載の電子カメラ。
【請求項８】
前記記憶部は、前記フレーム画像に関する情報を複数記憶しており、撮像前に前記複数のフレーム画像に関する情報を選択する選択手段を有することを特徴とする請求項６又は７に記載の電子カメラ。
【請求項９】
前記記憶部は、選択された前記フレーム画像に関する情報と、前記撮像部により取得された画像情報とを対応づけて記憶することを特徴とする請求項３に記載の電子カメラ。
【請求項１０】
前記複数のフレーム画像に関する情報を表示する表示手段を有することを特徴とする請求項５乃至９のいずれかに記載の電子カメラ。
【発明の詳細な説明】
【０００１】
【発明の属する技術分野】
本発明は、電子カメラに関し、特に高品位な画像をプリントできる画像情報を取得可能な電子カメラに関する。
【０００２】
【従来の技術】
電子技術の向上に伴い、撮像（撮影ともいう）した画像をデジタルな画像情報に変換して記憶する電子カメラが開発され、既に市販されている。ユーザーは、電子カメラにより撮像した画像を、たとえば自分のパソコンのディスプレイに表示でき、またプリンタを介してプリントできるため、その応用範囲は広いものとなっている。
【０００３】
ところで、画像情報は画像処理ソフトなどを用いて比較的容易に合成できるという利点があり、例えば不要な背景などをフレームに置き換えてプリントすれば、主要被写体が装飾され、より高品位なプリントを得ることができる。しかるに、撮像により取得された画像情報に基づく被写体画像が、必ずしもフレームにマッチしているとは限らない。かかる場合、被写体画像に対応する画像情報に対して後処理で、トリミング、明度補正、色調補正などの画像処理を施すことにより、よりフレームにマッチした被写体画像とすることができる。ところが、このように後処理で画像処理を施すのは手間がかかり、画像処理ソフトに不慣れなユーザーにとっては、思い通りに画像処理を施せないという問題がある。
【０００４】
これに対し、特許文献１には、撮像時にモニタにフレーム画像を表示させ、且つそれに重ねて被写体画像を表示することで、ユーザーは、擬似的にプリント後の合成画像を見ることができ、またフレームの窓（被写体画像が収まる部分）座標が画像情報と対応づけて記録され、後処理としての画像処理に役立たせる技術が開示されている。
【特許文献１】
特開２００１−１６９１７４号公報
【０００５】
【発明が解決しようとする課題】
ところが、特許文献１の技術によれば、撮像時の撮像条件は、通常の撮影時と同じであるので、例えば背景が明るい場合には、相対的に主要被写体が暗く撮像される場合が多く、それに応じて主要被写体画像の階調差が小さくなってしまう。かかる場合、後処理としての画像処理で被写体画像を明るくすることはできるが、階調差は細かくならず、べたっとした画像となってしまう。
【０００６】
本発明は、かかる従来技術の問題点に鑑みてなされたものであり、より高画質な合成画像プリントを得ることができる電子カメラを提供することを目的とする。
【０００７】
【課題を解決するための手段】
第１の本発明の電子カメラは、光学像を画像情報に変換して取得する撮像部と、プリント時のフレーム画像に関する情報を記憶する記憶部と、前記記憶部に記憶された前記フレーム画像に関する情報に基づいて、前記撮像部における撮像条件を変更する撮像条件変更手段とを有するので、例えば撮像時に、ユーザーが撮像した主要被写体画像をフレーム画像と合成してプリントすることが明らかである場合、前記撮像条件変更手段が、前記フレーム画像にマッチするように撮像条件を変更して撮像を行うので、より高品位な合成画像を得ることができる。
【０００８】
更に、前記撮像条件の変更とは、測光条件設定変更、測光エリアの設定変更、露出補正量設定変更、カメラ感度設定変更、露出条件設定変更、閃光発光の有無変更、測距エリアの設定変更、合焦検出周波数の設定変更、手振れ補正の有無変更、シーンモード設定変更、画角設定変更、画像の倍率設定変更の少なくとも一つを含むと好ましい。
【０００９】
又、前記記憶部は、前記フレーム画像に関する情報を複数記憶しており、撮像前に前記複数のフレーム画像に関する情報を選択する選択手段を有すると、ユーザーが合成したい所望のフレーム画像を選択できるので好ましい。
【００１０】
更に、前記フレーム画像に関する情報を表示する表示手段を有すると、ユーザーが撮像の前に前記フレーム画像を確認できるので好ましい。
【００１１】
第２の本発明の電子カメラは、光学像を画像情報に変換して取得する撮像部と、プリント時のフレーム画像に関する情報を記憶する記憶部と、画像情報を画像処理する画像処理手段と、前記記憶部に記憶された前記フレーム画像に関する情報に基づいて、前記撮像部により取得された画像情報の処理条件を変更する処理条件変更手段とを有するので、例えば撮像時に、ユーザーが撮像した主要被写体画像をフレーム画像と合成してプリントすることが明らかである場合、前記処理条件変更手段が、前記フレーム画像にマッチするように、撮像により得られた画像情報に対して、画像処理の処理条件を変更して前記画像処理手段が画像処理を行うので、より高品位な合成画像を得ることができる。
【００１２】
更に、前記処理条件の変更とは、露出補正量設定変更、ポスト測光エリアの設定変更、ポストオートホワイトバランスエリアの設定変更、ポスト測色エリアの設定変更、階調補正処理条件の設定変更、エッジ強調処理条件の設定変更、圧縮率の設定変更の少なくとも一つを含むと好ましい。
【００１３】
【発明の実施の形態】
以下、図面を参照して本発明の実施の形態にかかるカメラを詳細に説明する。図１は、本発明を適用した電子カメラの一例であるデジタルスチルカメラｌ００の一実施の形態を示す外観図であり、図１（ａ）はデジタルスチルカメラ１００の前面斜視図、図１（ｂ）は背面斜視図である。
【００１４】
図１において、デジタルスチルカメラ１００の前面に、被写体を撮像するための撮像部２４、被写体に補助光を発光する補助光発光部３０、撮影者が覗くことで被写体を含む構図を確認できる光学式ファインダー２５を備え、その背面に、撮影画像等を表示する画像表示部８、撮影設定状況等を表示する情報表示部（いわゆるステイタスＬＣＤ）２６、選択手段としてのＮＥＸＴボタン２１ｃ及び決定ボタン２１ｄを含む各種機能の設定、切換を操作するための操作ＳＷ（スイッチ）２１を備え、更にデジタルスチルカメラ１００の上面に、シャッターレリーズを行うためのレリーズスイッチ２１ａを備えて構成される。なお、各構成部における詳細な説明は、後述する機能的構成の説明と併せて記載する。閃光発光部は、ポップアップタイプのため図示されていない。又、図１では図示していないが、デジタルスチルカメラ１００の底部には、ここでは記憶部であるメモリカード９を装着するためのメモリスロットが設けられている。
【００１５】
図２は、デジタルスチルカメラ１００の機能的構成を示すブロック図である。図２において、デジタルスチルカメラ１００は、撮影光学系であるレンズユニット１、絞り２、ＣＣＤ３からなる撮像部２４、撮像回路４、Ａ／Ｄ変換回路５、メモリ６、Ｄ／Ａ変換回路７、表示手段である画像表示部８、圧縮伸長回路１０、ＣＰＵ１１、ＴＧ１２、ＡＥ・ＡＦ処理回路１３、ＣＣＤドライバ１４、絞り駆動モータ１５、絞り駆動モータ駆動回路１６、光学系駆動モータ１７、光学系駆動モータ駆動回路１８、電池１９、不揮発性メモリ部であるフラッシュ・メモリ２０、ズームスイッチＳＴ等を含む操作ＳＷ２１、閃光発光部２２、補助光発光部３０（ＡＦ用の補助光発光部や赤目軽減ランプと兼用できる）、スイッチング回路２３、情報表示部２６とから構成される。
【００１６】
撮像部２４は、後述する被写体の光学像を取り込むレンズユニット１、レンズユニット１を透過した光束の光量を調節すると共に露光の調節を行う絞り２、レンズユニット１の光路上において結像された被写体の光学像を光電変換するＣＣＤ（Ｃｈａｒｇｅ  Ｃｏｕｐｌｅｄ  Ｄｅｖｉｃｅ）３により構成され、光電変換された画像信号（アナログ信号）を撮像回路４ヘ出力する。
【００１７】
撮像回路４は、ＴＧ１２から入力されるタイミング信号に同期させて、ＣＣＤ３から入力された画像信号の感度補正等の各種画像処理を行って所定の画像信号を生成し、Ａ／Ｄ変換回路５に出力する。Ａ／Ｄ変換回路５は、入力された画像信号をアナログ信号からデジタル信号へ変換し、ＣＰＵ１１の指示によりメモリ６、又はＡＥ・ＡＦ処理回路１３に画像情報を出力する。
【００１８】
メモリ６は、バッファメモリ等から構成され、入力された画像信号を一時的に記憶する。また、メモリ６は、ＣＰＵ１１より画像表示指示を受けると、Ｄ／Ａ変換回路７に画像表示指示された画像情報を出力し、Ｄ／Ａ変換回路７は、入力された画像情報をアナログ変換するとともに、出力表示に適応するよう処理を施して画像表示部８に出力表示する。一方、メモリ６は、後述する所定の条件が成立したときに、ＣＰＵ１１より画像記憶指示を受けると、圧縮伸長回路１０に画像記憶指示された画像情報（たとえばＪＰＥＧ形式で）を出力し、圧縮伸長回路１０は、入力された画像情報に対してメモリカード９に出力する。
【００１９】
画像表示部（表示部ともいう）８は、ＴＦＴ（Ｔｈｉｎ  Ｆｉｌｍ  Ｔｒａｎｓｉｓｔｏｒ）等から構成され、Ｄ／Ａ変換回路７から入力された画像信号を出力表示する。なお、表示は画像に限らず、例えば、機能選択するメニュー画面などのテキスト画面であってもよい。
【００２０】
メモリカード９は、半導体メモリ等からなる１回のみ記憶可能なメモリであり、圧縮伸長回路１０から入力された画像情報を記憶する画像情報記憶領域を有する記憶媒体である。又、固有のＩＤ情報を予め内部に記憶しており、かつ表面にそのＩＤ情報が印刷もしくは刻印されているものとする。
【００２１】
また、メモリカード９は、ＣＰＵ１１より画像読み出し指示を受けると、圧縮伸長回路１０に読み出し指示された画像情報を出力し、圧縮伸長回路１０は、入力された画像情報の伸長処理を行ってメモリ６に出力する。
【００２２】
圧縮伸長回路１０は、メモリ６から入力された画像情報を所定の符号化方式で圧縮する圧縮回路と、読み出し指示された画像情報を画面表示するためにメモリカード９から入力された画像情報を復号化して伸長する伸長回路と、からなる。すなわち、圧縮伸長回路１０は、圧縮手段としての機能を有する。
【００２３】
画像処理手段、撮像条件変更手段及び処理条件変更手段であるＣＰＵ（Ｃｅｎｔｒａｌ  Ｐｒｏｃｅｓｓｉｎｇ  Ｕｎｉｔ）１１は、フラッシュ・メモリ２０に記憶されている撮影に関わる各種アプリケーションプログラムを図示しないワークエリアに読み出し、当該プログラムに従った撮影処理等の各種処理を実行し、処理結果を画像表示部８、或いは情報表示部２６に表示させる。
【００２４】
ＣＰＵ１１は、レリーズスイッチ２１ａ（図１）の半押しに応じて、ＡＥ・ＡＦ処理回路１３を駆動制御し、得られた測光値より露光条件を決定すると共に、レンズユニット１をＡＦ処理により検出された合焦位置に駆動し、レリーズスイッチ２１ａの全押しに応じて露光処理を実行し、生成された画像信号に画像処理、及びデジタル変換を行ってメモリ６に一時記憶後、所定の条件に応じて、圧縮伸長回路１０により画像情報の圧縮化を行い、メモリカード９に出力する。尚、ＣＰＵ１１は、撮像部で取得された画像情報を記憶媒体に記憶させる記憶部と、ＩＤ情報を読み出す読み出し部と、記憶媒体に画像情報を記憶させる際に、ＩＤ情報を不揮発性メモリ部に記憶させる記憶制御部として機能する。
【００２５】
ＴＧ（Ｔｉｍｉｎｇ  Ｇｅｎｅｒａｔｏｒ）１２は、所定のタイミング信号を発生して撮像回路４、ＣＰＵ１１、ＣＣＤドライバ１４に出力する。
【００２６】
ＡＥ（Ａｕｔｏ  Ｅｘｐｏｓｕｒｅ：自動露光制御）・ＡＦ（Ａｕｔｏ  Ｆｏｃｕｓ：自動焦点制御）処理回路１３は、適正な露光条件を検出するＡＥ処理を実行するＡＥ処理回路と、合焦位置を検出するＡＦ処理を実行するＡＦ処理回路と、を備えて構成される。各処理は、ＣＰＵ１１からの指示によりＡ／Ｄ変換回路５から入力された画像情報に対して実行される。
【００２７】
ＡＥ処理回路は、ＡＥ処理において、入力された１画面分、若しくは画面内の所定領域の輝度値に対して累積加算等の演算処理を行い、この処理結果から実露光時の適正な露光条件を算出して、ＣＰＵ１１に出力する。一方、ＡＦ処理回路は、ＡＦ処理において、入力された１画面分、若しくは画面内の所定領域を対象としてＡＦ評価値の算出を行い、その算出結果をＣＰＵ１１に出力する。
【００２８】
このＡＦ評価値は、焦点が合うほど大きい値になる特性を有しており、各レンズ位置を横軸に、ＡＦ評価値を縦軸にとりグラフを作成すると、合焦点を頂点とした山が形成される。すなわち、レンズユニット１を移動させながら求めたＡＦ評価値を互いに比較することにより、山の頂点、つまり合焦点を求めることができる。このようにしてＡＦ評価値を求める動作を探索動作という。なお、ＡＦ評価値は、入力された１画面分、若しくは画面内の所定領域に対して画像情報の周波数を分析することにより算出される。周波数分析では、ソフト的に帯域通過フィルタを構成し、この帯域通過フィルタを通過した画像信号強度の積分値を算出して、その算出結果をＡＦ評価値とする。すなわち、ＡＦ評価値は、コントラスト（明暗の差）情報であり、その画像に含まれる特定周波数の強度を求める演算を行うことにより算出される。
【００２９】
ここで、ＣＰＵ１１、ＡＦ処理回路によるＡＦ処理について説明する。ＣＰＵ１１は、駆動手段である光学系駆動モータ駆動回路１８を駆動制御して、レンズユニット１の第２レンズ群を移動させながら、各レンズ位置で漸次ＣＣＤ３により画像信号を生成させる。ＡＥ・ＡＦ処理回路１３は、Ａ／Ｄ変換回路５から入力された画像情報毎にＡＦ評価値を算出し、その比較を行って最大ＡＦ評価値であるレンズ位置を合焦点として検出し、ＣＰＵ１１に出力する。
【００３０】
ＣＣＤドライバ１４は、ＣＰＵ１１からの指示を受けると、ＴＧ１２から入力されるタイミング信号に同期させてＣＣＤ３の駆動及び制御を行う。具体的には、露光調節制御に応じたＣＣＤ３の電荷蓄積時間の制御を実行する。
【００３１】
絞り駆動モータ駆動回路１６は、ＣＰＵ１１からの指示により絞り駆動モータ１５の駆動を制御し、絞り駆動モータ１５は絞り２を駆動する。また、光学系駆動モータ駆動回路１８は、ＣＰＵ１１からの指示により光学系駆動モータ１７の駆動を制御し、光学系駆動モータ１７の駆動力によりレンズユニット１が駆動され、それによりレンズユニット１は所定の位置に移動する。
【００３２】
電池１９は、デジタルスチルカメラ１００の各構成部に電力を供給する電力源であり、例えば、リチウム電池やアルカリ乾電池等が適用される。
【００３３】
フラッシュ・メモリ（ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）も使用可能）２０は、デジタルスチルカメラ１００の撮像に関る各種アプリケーションプログラム、処理プログラム等を記憶する他、後述する情報を記憶可能となっている。
【００３４】
操作ＳＷ（スイッチ）２１は、レリーズスイッチ２１ａや、ＮＥＸＴボタン２１ｃ、決定ボタン２１ｄなど、機能を切り替えるモードＳＷ、設定を選択するメニューＳＷ等、各種操作スイッチを備えて構成される。また、各スイッチを操作すると、信号を生成してＣＰＵ１１に出力する。なお、レリーズスイッチ２１ａは、撮影動作に先立ってＡＥ、ＡＦ処理を開始させる半押しレリーズスイッチと、実際の露光処理を開始させる全押しレリーズスイッチと、からなる２段のスイッチから構成されている。
【００３５】
閃光発光部２２は、撮影時に検出された周囲環境の輝度が不足する場合に、被写体にストロボ光を発光する発光部であり、スイッチング回路２３によりその発光タイミングや発光量等が制御される。
【００３６】
次に、本実施の形態にかかるデジタルスチルカメラ１００の動作について、図面を参照して説明する。図３は、デジタルスチルカメラ１００の動作の制御を示すフローチャートである。図４は、デジタルスチルカメラ１００の画像表示部８の表示例を示す図である。
【００３７】
まず、図３のステップＳ１０１において、電源スイッチ（不図示）がオンとなっていれば、ステップＳ１０２で、ＣＰＵ１１はモード判定を行う。すなわちユーザーによる操作スイッチ２１のモード設定ボタン（不図示）の操作に応じて通常撮影モードが設定されていると判断した場合、ＣＰＵ１１は、ステップＳ１０３で、第１段のレリーズスイッチ２１ａの押下信号（Ｓ１信号）が入力されるのを待つ。ここで、第１段のレリーズスイッチ２１ａの押下信号（Ｓ１信号）が入力されたと判断すれば、ＣＰＵ１１は、ステップＳ１０４で、ＡＥ処理を行って露光条件を決定し、且つＡＦ処理を行ってレンズユニット１を合焦位置へと駆動し、更にステップＳ１０５で、第２段のレリーズスイッチ２１ａの押下信号（Ｓ２信号）が入力されるのを待つ。第２段のレリーズスイッチ２１ａの押下信号（Ｓ２信号）が入力されたと判断すれば、ＣＰＵ１１は、ステップＳ１０７で、ＣＣＤ３を介して画像信号を取り込み、ステップＳ１０８で通常の画像処理を行い画像情報を取得し、それに基づきステップＳ１０９で、画像情報をメモリカード９に記憶する。その後、フローはステップＳ１０１に戻る。
【００３８】
一方、ステップＳ１０２で、ユーザーによるモード設定ボタン（不図示）の操作に応じてフレームプリントモードが設定されていると判断した場合、ＣＰＵ１１は、ステップＳ１１０で、ユーザーがフレームを選択するのを待つ。より具体的には、ＣＰＵ１１は、まずメモリカード９にアクセスし、そこに予め記憶されているフレーム画像に関する情報（被写体画像を合成すべき領域に関する情報（座標等）を含むが、デザイン情報も含んでいて良い）を読み出して、図４（ａ）に示すように、２つ（１つもしくは３つ以上でも良い）のフレーム画像Ｆ１，Ｆ２と、ユーザーの選択を促す表示とを画像表示部８に表示する。このとき、２つの画像の順序で若い方のフレーム画像Ｆ１の外側に枠が表示され、かかるフレーム画像Ｆ１が選択候補となっていることが示される。
【００３９】
ここで、ユーザーがフレーム画像Ｆ１を、これから撮影する被写体画像と合成することを所望しない場合、ＮＥＸＴボタン２１ｃを押すことで、それに応じてＣＰＵ１１は、隣のフレーム画像Ｆ２の外側に枠を移動させ、それによりフレーム画像Ｆ２が選択候補となることを示す。ユーザーがフレーム画像Ｆ２を、これから撮影する被写体画像と合成することを所望しない場合、更にＮＥＸＴボタン２１ｃを押すことで、それに応じてＣＰＵ１１は、別なフレーム画像Ｆ３，Ｆ４を表示するように、画像表示部８の画面を切り替える。以下、同様の手順でフレーム画像の選択候補を表示できる。
【００４０】
ここで、ユーザーが、図４（ｂ）に示すように選択候補となっているフレーム画像Ｆ３を、これから撮影する被写体画像と合成する画像として選択する場合、そのまま決定ボタン２１ｄを押すことで、ＣＰＵ１１は、フレーム画像Ｆ３が選択されたものと判断する。その後、ステップＳ１１１で、ＣＰＵ１１は、選択されたフレーム画像に基づいて撮像条件を決定する。より具体的には、ＣＰＵ１１は、メモリカード９に記憶されたフレーム画像Ｆ３に関する情報を読みとって、以下のように決定（撮影条件のデフォルト設定に対し設定を変更）する。尚、以下の条件は単独でも良く、組み合わされても良い。
（１）測光方式はスポット測光方式とする。フレーム画像と合成されるべき主要被写体が存在すると予想される範囲（フレーム画像Ｆ３では中央）を主として測光を行い、その部分に露出を合わせることで、主要被写体の最適な露出を得る。
（２）測光エリアは、フレーム画像と合成されるべき主要被写体が存在すると予想される範囲（フレーム画像Ｆ３では中央）のみとする。合成後にフレーム画像で隠れる背景などは、露出が不適切でも関係ないからである。又、例えば人物を主要被写体として合成する場合、フレーム画像Ｆ３が選択されると、それと合成される画像が人物の全身画像である可能性が高いと判断できるので、人物の全身において露出が適切になるよう測光エリアの形状、大きさを決定する。一方、フレーム画像Ｆ２が選択されると、それと合成される画像が人物の上半身画像である可能性が高いと判断できるので、人物の上半身において露出が適切になるよう測光エリアの形状、大きさを決定する。
（３）露出補正量は、フレーム画像と合成されるべき主要被写体が存在すると予想される範囲（フレーム画像Ｆ３では中央）で露出が最適となるような量で補正する。例えば人物を主要被写体として合成する場合、フレーム画像Ｆ３が選択されると、それと合成される画像が人物の全身画像である可能性が高いと判断できるので、人物の全身において露出が適切になるよう露出補正量を決定する。一方、フレーム画像Ｆ２が選択されると、それと合成される画像が人物の上半身画像である可能性が高いと判断できるので、人物の上半身において露出が適切になるよう露出補正量を決定する。特に、人物撮影の場合、露出は高めにするのが好ましい。
（４）カメラ感度は、フレーム画像と合成されるべき主要被写体が存在すると予想される範囲（フレーム画像Ｆ３では中央）における被写体輝度に応じて変更する。かかる被写体輝度が低い場合、スローシャッター速度による被写体ブレが発生しやすくなるため、カメラの感度を上げるとよい。一方、被写体輝度が高い場合、カメラの感度を下げてノイズを減少させるとよい。
（５）絞り優先方式とする。フレーム画像と合成されるべき主要被写体の周囲の背景の一部も、フレーム画像と合成されることとなることが多いが、この背景がぼけていた方が、合成画像において目立たないからである。
（６）閃光発光を多用する。フレーム画像と合成されるべき主要被写体の輝度が低い場合、積極的に閃光発光を行うことで、例えば被写体が人物である場合に、肌を美しく見えることが可能となる。又、赤目防止発光を行うと好ましい。
（７）測距エリアは、フレーム画像と合成されるべき主要被写体が存在すると予想される範囲（フレーム画像Ｆ３では中央）のみとする。合成後にフレーム画像で隠れる背景などは、ピントがずれていても関係ないからである。又、例えば人物を主要被写体として合成する場合、フレーム画像Ｆ３が選択されると、それと合成される画像が人物の全身画像である可能性が高いと判断できるので、人物の全身においてピントが適切になるよう測距エリアの形状、大きさを決定する。一方、フレーム画像Ｆ２が選択されると、それと合成される画像が人物の上半身画像である可能性が高いと判断できるので、人物の上半身においてピントが適切になるよう測距エリアの形状、大きさを決定する。
（８）合焦検出周波数は、人物に適した周波数とする。フレーム画像と合成されるべき主要被写体が人物である場合、その人物に迅速に且つ精度良く合焦動作を行う必要がある。ここで、主要被写体が人物である場合、一般的には顔の輪郭、目、鼻、口の位置などは決まっているため、それに応じた合焦検出周波数を用いることで、迅速に且つ精度良く合焦動作を行うことができる。
（９）手振れ補正処理を行う。フレーム画像と合成されるべき主要被写体が人物（特に乳幼児）である場合、じっとしたままの状態で撮影するのが難しいことがある。そこで、手振れ補正機能（レンズを手振れ方向に動かすことでもよいし、シャッター速度を上げても良い）を用いて、手振れを解消する。
（１０）特定のシーンモードを設定する。フレーム画像と合成されるべき主要被写体が人物である場合、特定のシーンモードとして例えばポートレート撮影モードを設定することで、カメラの前方２〜３ｍにいる主要被写体をより適切に撮像できる。
（１１）特定の画角を設定する。フレーム画像と合成されるべき主要被写体が人物である場合、選択されたフレーム画像に合わせて、その人物の全身、又は上半身が撮像されるよう、トリミング処理を用いて画角を適切に変更する。
（１２）画像の倍率を調整する。フレーム画像と合成されるべき主要体が人物である場合、選択されたフレーム画像に合わせて、その人物の全身、又は上半身が撮像されるよう、光学ズームもしくは電子ズームを行って、画像の倍率を適切に変更する。
【００４１】
このようにして撮像条件を決定した後、ＣＰＵ１１は、ステップＳ１１２で、第１段のレリーズスイッチ２１ａの押下信号（Ｓ１信号）が入力されるのを待つ。ここで、第１段のレリーズスイッチ２１ａの押下信号（Ｓ１信号）が入力されたと判断すれば、ＣＰＵ１１は、ステップＳ１１３で、ＡＥ処理を行って露光条件を決定し、且つＡＦ処理を行ってレンズユニット１を合焦位置へと駆動し、更にステップＳ１１４で、第２段のレリーズスイッチ２１ａの押下信号（Ｓ２信号）が入力されるのを待つ。第２段のレリーズスイッチ２１ａの押下信号（Ｓ２信号）が入力されたと判断すれば、ＣＰＵ１１は、ステップＳ１１６で、上述のごとく決定された撮像条件下でＣＣＤ３を介して画像信号を取り込み、ステップＳ１１７で通常の画像処理を行い画像情報を取得し、それに基づきステップＳ１１８で、画像情報と、選択されたフレーム画像情報とを対応づけてメモリカード９に記憶する。その後、フローはステップＳ１０１に戻る。尚、選択されたフレーム画像情報は、画像情報のヘッダなどに組み込まれても良い。
【００４２】
不図示のプリンタは、メモリカード９に対応づけて記憶された画像情報と、選択されたフレーム画像情報とを読み込んで、予め記憶されたそのフレームの画像情報とを合成し、その合成画像をプリントすることができる。図５は、かかるプリンタによりプリントされた、フレーム画像Ｆ３と被写体ＯＢＪとを合成した画像である。本実施の形態によれば、デジタルスチルカメラ１００が、ユーザーにより選択されたフレーム画像Ｆ３にマッチするように、撮像条件を変更して撮像を行うので、より高画質な合成画像を得ることができる。尚、画像合成は、デジタルスチルカメラ１００側で行っても良い。
【００４３】
次に、別な実施の形態について述べる。図６は、デジタルスチルカメラ１００の動作の別な制御を示すフローチャートである。尚、図６において、ステップＳ１０１〜ステップＳ１０９までは、図３に示す実施の形態と同様であるので、説明を省略する。
【００４４】
ステップＳ１０２で、ユーザーによる操作スイッチ２１のモード設定ボタン（不図示）の操作に応じてフレームプリントモードが設定されていると判断した場合、ＣＰＵ１１は、上述した動作を行い、ステップＳ２１０でユーザーがフレームを選択するのを待つ。
【００４５】
ここで、ユーザーがフレーム画像Ｆ３を、これから撮影する被写体画像と合成することを所望した場合、決定ボタン２１ｄを押すことで、ＣＰＵ１１は、フレーム画像Ｆ１が選択されたものと判断する。その後、ステップＳ２１１で、ＣＰＵ１１は、選択されたフレーム画像に基づいて画像処理条件を決定する。より具体的には、ＣＰＵ１１は、メモリカード９に記憶されたフレーム画像Ｆ３に関する情報を読みとって、以下のように決定（画像処理条件のデフォルトの設定を変更）する。尚、以下の条件は単独でも良く、組み合わされても良い。
（１）露出補正量は、フレーム画像と合成されるべき主要被写体が存在すると予想される範囲（フレーム画像Ｆ３では中央）で露出が最適となるような量で補正する。例えば人物を主要被写体として合成する場合、フレーム画像Ｆ３が選択されると、それと合成される画像が人物の全身画像である可能性が高いと判断できるので、人物の全身において露出が適切になるよう露出補正量を決定する。一方、フレーム画像Ｆ２が選択されると、それと合成される画像が人物の上半身画像である可能性が高いと判断できるので、人物の上半身において露出が適切になるよう露出補正量を決定する。特に、人物撮影の場合、露出は高めにするのが好ましい。
（２）ポスト測光エリア（撮像後の露出処理領域）は、フレーム画像と合成されるべき主要被写体が存在すると予想される範囲（フレーム画像Ｆ３では中央）のみとする。合成後にフレーム画像で隠れる背景などは、露出が不適切でも関係ないからである。又、例えば人物を主要被写体として合成する場合、フレーム画像Ｆ３が選択されると、それと合成される画像が人物の全身画像である可能性が高いと判断できるので、人物の全身において露出が適切になるよう測光エリアの形状、大きさを決定する。一方、フレーム画像Ｆ２が選択されると、それと合成される画像が人物の上半身画像である可能性が高いと判断できるので、人物の上半身において露出が適切になるよう測光エリアの形状、大きさを決定する。
（３）ポストオートホワイトバランス（ＲＧＢゲイン）補正量は、フレーム画像と合成されるべき主要被写体が人物であると仮定し、肌色が最適となるように補正量を決定する。
（４）ポストオートホワイトバランスエリアは、フレーム画像と合成されるべき主要被写体が存在すると予想される範囲（フレーム画像Ｆ３では中央）のみとする。合成後にフレーム画像で隠れる背景などは、実際の色と異なっていても関係ないからである。又、例えば人物を主要被写体として合成する場合、フレーム画像Ｆ３が選択されると、それと合成される画像が人物の全身画像である可能性が高いと判断できるので、人物の全身において発色が適切になるようエリアの形状、大きさを決定する。一方、フレーム画像Ｆ２が選択されると、それと合成される画像が人物の上半身画像である可能性が高いと判断できるので、人物の上半身において発色が適切になるようエリアの形状、大きさを決定する。
（５）階調（γカーブ）補正量は、フレーム画像と合成されるべき主要被写体が人物であると仮定し、例えば毛髪が鮮明となるように補正量を決定する。
（６）エッジ強調処理は、フレーム画像と合成されるべき主要被写体が人物であると仮定し、肌のエッジ感が最適となるようにエッジ強調処理のパラメータを調整する。
（７）圧縮率は、フレーム画像と合成されるべき主要被写体が人物であると仮定し、人肌が美しくなるように低い圧縮率を採用する。
（８）トリミング処理を行う。合成後にフレーム画像で隠れる背景などは、不要だからである。例えば人物を主要被写体として合成する場合、フレーム画像Ｆ３が選択されると、それと合成される画像が人物の全身画像である可能性が高いと判断できるので、人物の全身画像以外の画像はトリミング処理で切り取って削除する。一方、フレーム画像Ｆ２が選択されると、それと合成される画像が人物の上半身画像である可能性が高いと判断できるので、人物の上半身画像以外の画像はトリミング処理で切り取って削除する。このようにすれば、記憶すべき画像情報の容量も小さくてすむ。
【００４６】
このようにして画像処理条件を決定した後、ＣＰＵ１１は、ステップＳ２１２で、第１段のレリーズスイッチ２１ａの押下信号（Ｓ１信号）が入力されるのを待つ。ここで、第１段のレリーズスイッチ２１ａの押下信号（Ｓ１信号）が入力されたと判断すれば、ＣＰＵ１１は、ステップＳ２１３で、ＡＥ処理を行って露光条件を決定し、且つＡＦ処理を行ってレンズユニット１を合焦位置へと駆動し、更にステップＳ２１４で、第２段のレリーズスイッチ２１ａの押下信号（Ｓ２信号）が入力されるのを待つ。第２段のレリーズスイッチ２１ａの押下信号（Ｓ２信号）が入力されたと判断すれば、ＣＰＵ１１は、ステップＳ２１６で、ＣＣＤ３を介して画像信号を取り込み、ステップＳ２１７で、上述のごとく決定した画像処理条件下で画像処理を行い画像情報を取得し、それに基づきステップＳ２１８で、画像情報と、選択されたフレーム画像情報とを対応づけてメモリカード９に記憶する。その後、フローはステップＳ１０１に戻る。本実施の形態によれば、デジタルスチルカメラ１００が、ユーザーにより選択されたフレーム画像Ｆ３にマッチするように、画像処理条件を変更して、撮像により取得された画像情報に対して画像処理を行うので、より高画質な合成画像を得ることができる。
【００４７】
以上、本発明を実施の形態を参照して説明してきたが、本発明は上記実施の形態に限定して解釈されるべきではなく、適宜変更・改良が可能であることはもちろんである。例えば、フレーム画像に関する情報において、フレーム画像の色、柄などを特定する情報を含めるようにすれば、例えば全体的に青調のフレーム画像であれば、被写体画像も青っぽく撮像する或いは青っぽく画像処理するなどで、よりバランスのとれたプリントを得ることができる。又、フレームの画像情報は、記憶部としてのメモリ６に予め記憶されていても良い。
【００４８】
【発明の効果】
本発明によれば、より高画質な合成画像プリントを得ることができる電子カメラを提供することができる。
【図面の簡単な説明】
【図１】本発明を適用したカメラの一例であるデジタルスチルカメラｌ００の一実施の形態を示す外観図であり、図１（ａ）はデジタルスチルカメラ１００の前面斜視図、図１（ｂ）は背面斜視図である。
【図２】デジタルスチルカメラ１００の機能的構成を示すブロック図である。
【図３】本実施の形態にかかるデジタルスチルカメラで実行される処理を説明するフローチャートである。
【図４】画像表示部８の表示例を示す図である。
【図５】合成画像のプリント例を示す図である。
【図６】別な実施の形態にかかるデジタルスチルカメラで実行される処理を説明するフローチャートである。
【符号の説明】
８  画像表示部
１１  ＣＰＵ
２１  操作スイッチ
１００  デジタルスチルカメラ
【図１】
2004248136.tif 000003
【図２】
2004248136.tif 000004
【図３】
2004248136.tif 000005
【図４】
2004248136.tif 000006
【図５】
2004248136.tif 000007
【図６】
2004248136.tif 000008